(57)【要約】      （修正有）【課題】スライダーの設計変更をすることなく、引手のぶらつきを抑制することができるスライダーカバー及びスライドファスナー用スライダーを提供する。【解決手段】スライダー胴体２０と、スライダー胴体２０の引手保持体２４に取り付けられる引手３０と、を備えるスライドファスナー用スライダー１０の引手３０に着脱可能に取り付けられるスライダーカバー５０であって、スライダーカバー５０は、引手３０の少なくとも一部を収容可能な収容部と、スライダーカバー５０の端部に形成され、引手３０の左右方向の移動を規制する左右一対の規制部５５と、を有し、左右一対の規制部５５間に、引手保持体２４が配置される。【選択図】図１
0003196059.tif 000002
【実用新案登録請求の範囲】
【請求項１】
スライダー胴体（２０）と、前記スライダー胴体（２０）に取り付けられる引手（３０）と、を備えるスライドファスナー用スライダー（１０）の前記引手（３０）に着脱可能に取り付けられるスライダーカバー（５０）であって、
前記スライダー胴体（２０）は、前記引手（３０）が取り付けられる引手保持体（２４）を有し、
前記スライダーカバー（５０）は、
前記引手（３０）の少なくとも一部を収容可能な収容部（５４）と、
前記スライダーカバー（５０）の端部に形成され、前記引手（３０）の左右方向の移動を規制する左右一対の規制部（５５）と、を有し、
前記左右一対の規制部（５５）間に、前記引手保持体（２４）が配置されることを特徴とするスライダーカバー（５０）。
【請求項２】
前記引手（３０）は、前記引手保持体（２４）と連結する孔部（３１）を有し、
前記スライダーカバー（５０）の前記左右一対の規制部（５５）間の間隔（Ｓ２）は、前記引手（３０）の前記孔部（３１）の左右方向の最大寸法（Ｓ１）よりも小さく設定されることを特徴とする請求項１に記載のスライダーカバー（５０）。
【請求項３】
前記スライダーカバー（５０）が前記引手（３０）に取り付けられた状態において、前記左右一対の規制部（５５）の先端が、前記引手（３０）の先端を越えて形成されることを特徴とする請求項１又は２に記載のスライダーカバー（５０）。
【請求項４】
前記スライダーカバー（５０）は、上壁部（５１）と、前記上壁部（５１）の左右両側縁から下方に延びる左右一対の側壁部（５２）と、前記左右一対の側壁部（５２）の下端部から互いに接近する方向に延びる左右一対の下壁部（５３）と、を有し、
前記スライダーカバー（５０）が前記引手（３０）に取り付けられた状態において、前記引手（３０）の下面と前記スライダー胴体（２０）の上面との間に、前記左右一対の下壁部（５３）が配置されることを特徴とする請求項１〜３のいずれか１項に記載のスライダーカバー（５０）。
【請求項５】
前記上壁部（５１）の下面には、前後方向に延びる溝部（５１ｂ）が形成されることを特徴とする請求項４に記載のスライダーカバー（５０）。
【請求項６】
前記引手（３０）は、一端側の左右方向幅（Ｗ１）よりも他端側の左右方向幅（Ｗ２）が大きくなる形状に形成されることを特徴とする請求項１〜５のいずれか１項に記載のスライダーカバー（５０）。
【請求項７】
前記引手（３０）の前記孔部（３１）は、前記引手（３０）の一端側に形成される第１孔部（３１）であり、
前記引手（３０）の他端側に、把持部材（３５）が取り付けられる第２孔部（３２）が形成され、
前記スライダーカバー（５０）に、前記第２孔部（３２）と連通する穴部（５１ａ）が形成されることを特徴とする請求項２に記載のスライダーカバー（５０）。
【請求項８】
スライダー胴体（２０）と、前記スライダー胴体（２０）に取り付けられる引手（３０）と、前記引手（３０）に着脱可能に取り付けられるスライダーカバー（５０）と、を備えるスライドファスナー用スライダー（１０）であって、
前記スライダーカバー（５０）が、請求項１〜７のいずれか１項に記載のスライダーカバー（５０）であることを特徴とするスライドファスナー用スライダー（１０）。
【考案の詳細な説明】
【技術分野】
【０００１】
本考案は、スライダーカバー及びスライドファスナー用スライダーに関する。
【背景技術】
【０００２】
従来のスライドファスナー用スライダーとして、自動停止機能のない隠しスライドファスナー用スライダーが知られている（例えば、特許文献１参照）。この隠しスライドファスナー用スライダーは、その引手取付体に三角形状の引手が取り付けられている。そして、この隠しスライドファスナー用スライダーがスポーツウェアなどに使用される場合、運動時に引手がぶらついて、引手の振動が使用者に伝わってしまうことがある。
【０００３】
そこで、従来では、引手のぶらつきを抑制するために、引手の軸部の両端部に突出部をそれぞれ設けるスライドファスナー用スライダーが知られている（例えば、特許文献２参照）。
【先行技術文献】
【特許文献】
【０００４】
【特許文献１】意匠登録第１４８５５５１号公報
【特許文献２】特許第３０５０４０９号公報
【考案の概要】
【考案が解決しようとする課題】
【０００５】
ところで、上記特許文献２に記載のスライドファスナー用スライダーでは、既存のスライダーの設計変更が必要であるため、スライダーの製造コストが増加してしまっていた。
【０００６】
本考案は、前述した事情に鑑みてなされたものであり、その目的は、スライダーの設計変更をすることなく、引手のぶらつきを抑制することができるスライダーカバー及びスライドファスナー用スライダーを提供することにある。
【課題を解決するための手段】
【０００７】
本考案の上記目的は、下記の構成により達成される。
（１）スライダー胴体と、スライダー胴体に取り付けられる引手と、を備えるスライドファスナー用スライダーの引手に着脱可能に取り付けられるスライダーカバーであって、スライダー胴体は、引手が取り付けられる引手保持体を有し、スライダーカバーは、引手の少なくとも一部を収容可能な収容部と、スライダーカバーの端部に形成され、引手の左右方向の移動を規制する左右一対の規制部と、を有し、左右一対の規制部間に、引手保持体が配置されることを特徴とするスライダーカバー。
（２）引手は、引手保持体と連結する孔部を有し、スライダーカバーの左右一対の規制部間の間隔は、引手の孔部の左右方向の最大寸法よりも小さく設定されることを特徴とする（１）に記載のスライダーカバー。
（３）スライダーカバーが引手に取り付けられた状態において、左右一対の規制部の先端が、引手の先端を越えて形成されることを特徴とする（１）又は（２）に記載のスライダーカバー。
（４）スライダーカバーは、上壁部と、上壁部の左右両側縁から下方に延びる左右一対の側壁部と、左右一対の側壁部の下端部から互いに接近する方向に延びる左右一対の下壁部と、を有し、スライダーカバーが引手に取り付けられた状態において、引手の下面とスライダー胴体の上面との間に、左右一対の下壁部が配置されることを特徴とする（１）〜（３）のいずれか１つに記載のスライダーカバー。
（５）上壁部の下面には、前後方向に延びる溝部が形成されることを特徴とする（５）又は（４）に記載のスライダーカバー。
（６）引手は、一端側の左右方向幅よりも他端側の左右方向幅が大きくなる形状に形成されることを特徴とする（１）〜（５）のいずれか１つに記載のスライダーカバー。
（７）引手の孔部は、引手の一端側に形成される第１孔部であり、引手の他端側に、把持部材が取り付けられる第２孔部が形成され、スライダーカバーに、第２孔部と連通する穴部が形成されることを特徴とする（２）に記載のスライダーカバー。
（８）スライダー胴体と、スライダー胴体に取り付けられる引手と、引手に着脱可能に取り付けられるスライダーカバーと、を備えるスライドファスナー用スライダーであって、スライダーカバーが、（１）〜（７）のいずれか１つに記載のスライダーカバーであることを特徴とするスライドファスナー用スライダー。
【考案の効果】
【０００８】
本考案によれば、スライドファスナー用スライダー１０の引手３０に着脱可能に取り付けられるスライダーカバー５０が、引手３０の少なくとも一部を収容可能な収容部５４と、スライダーカバー５０の端部に形成され、引手３０の左右方向の移動を規制する左右一対の規制部５５と、を有し、左右一対の規制部５５間に、スライダー胴体２０の引手保持体２４が配置されるため、スライダーの設計変更をすることなく、引手のぶらつきを抑制することができる。
【図面の簡単な説明】
【０００９】
【図１】本考案に係るスライダーカバーの一実施形態が取り付けられたスライドファスナー用スライダーを説明する上面図である。
【図２】図１に示すスライダーカバー及びスライダーの分解斜視図である。
【図３】スライダーカバーが引手に取り付けられた状態のスライダーを説明する斜視図である。
【図４】スライダーカバーが引手に取り付けられた状態のスライダーを説明する断面図である。
【図５】スライダーカバーが引手に取り付けられる途中の状態を説明する断面図である。
【図６】スライダーカバーが取り付けられる前の引手を示す平面図である。
【図７】スライダーカバーが取り付けられた状態の引手を示す平面図である。
【図８】（ａ）はスライダーカバーが取り付けられた状態における引手の左右方向のぶらつきを説明する平面図であり、（ｂ）はスライダーカバーが取り付けられていない状態における引手の左右方向のぶらつきを説明する平面図である。
【図９】スライダーカバーが取り付けられた状態における引手の上下方向のぶらつきを説明する平面図である。
【図１０】本考案に係るスライダーカバーの第１変形例を説明する図であり、（ａ）はスライダーカバーが取り付けられる前の引手を示す平面図であり、（ｂ）はスライダーカバーが取り付けられた状態の引手を示す平面図である。
【図１１】本考案に係るスライダーカバーの第２変形例を説明する図であり、（ａ）はスライダーカバーが取り付けられる前の引手を示す平面図であり、（ｂ）はスライダーカバーが取り付けられた状態の引手を示す平面図であり、（ｃ）は（ｂ）の状態の引手を前方から見た図である。
【図１２】本考案に係るスライダーカバーの第３変形例を説明する図であり、（ａ）はスライダーカバーが取り付けられる前の引手を示す平面図であり、（ｂ）はスライダーカバーが取り付けられた状態の引手を示す平面図である。
【考案を実施するための形態】
【００１０】
以下、本考案に係るスライダーカバーの一実施形態について、図面を参照して詳細に説明する。なお、以後の説明において、スライダーとスライダーカバーに関しては、上側とは図１の紙面に対して手前側、下側とは図１の紙面に対して奥側、前側とは図１の紙面に対して上側、後側とは図１の紙面に対して下側、右側とは図１の紙面に対して右側、左側とは図１の紙面に対して左側とする。また、スライダーとスライダーカバーの左右方向は幅方向とも言う。
【００１１】
本実施形態のスライダーカバー５０は、図１〜図４に示すように、スライドファスナー用スライダー１０（以下、単に「スライダー１０」とも言う）の引手３０に着脱可能に取り付けられるものである。
【００１２】
このスライダー１０は、隠しスライドファスナーに使用される自動停止機能のないスライダーであって、スライダー胴体２０と、スライダー胴体２０の後述する引手保持体２４に取り付けられる引手３０と、を備える。
【００１３】
スライダー胴体２０は、図２及び図４に示すように、下板部２１と、下板部２１の前端部中央に立設される案内柱２２と、案内柱２２の上端部に形成される上板部２３と、上板部２３の上面に形成され、引手３０が取り付けられる引手保持体２４と、下板部２１の左右両側縁に沿って立設される左右の側板部２５と、左右の側板部２５の上端部から互いに接近する方向に延設される左右のフランジ２６と、を備える。また、スライダー胴体２０は、合成樹脂や金属などから成形されている。
【００１４】
引手保持体２４は、前後一対の支持片部２４ａを備える。そして、この前後の支持片部２４ａ間に引手３０のリンク３３をセットし、前後の支持片部２４ａを互いに接近する方向にかしめることにより、引手３０が引手保持体２４に揺動可能に取り付けられる。
【００１５】
引手３０は、図２及び図６に示すように、一端側（前端側）の左右方向幅Ｗ１よりも他端側（後端側）の左右方向幅Ｗ２が大きくなる三角形状に形成されており、引手３０の一端側（前端側）に形成され、引手保持体２４と連結する第１孔部３１と、引手３０の他端側（後端側）に形成され、紐状の把持部材３５が取り付けられる第２孔部３２と、引手３０の先端に形成されるリンク３３と、を有する。また、引手３０は、合成樹脂や金属などから成形されている。
【００１６】
スライダーカバー５０は、図１〜図４に示すように、引手３０と同様に三角形状に形成されており、上壁部５１と、上壁部５１の左右両側縁から下方に延びる左右一対の側壁部５２と、左右の側壁部５２の下端部から互いに接近する方向に延びる左右一対の下壁部５３と、を有し、この上壁部５１、左右の側壁部５２、及び左右の下壁部５３により、引手３０を収容可能な収容部５４が形成されている。また、スライダーカバー５０は、合成樹脂などから成形されている。
【００１７】
また、上壁部５１の後部には、スライダーカバー５０を引手３０に取り付けた状態において引手３０の第２孔部３２と連通する穴部５１ａが形成されている。このため、スライダーカバー５０が引手３０に取り付けられた状態では、引手３０の第２孔部３２とスライダーカバー５０の穴部５１ａの両方に紐状の把持部材３５が取り付けられる。従って、把持部材３５を取り付けることにより、引手３０とスライダーカバー５０との取り付け強度が向上する。
【００１８】
また、スライダーカバー５０の端部（前端部）には、引手３０の左右方向の移動を規制する左右一対の規制部５５が形成されている。そして、スライダーカバー５０が引手３０に取り付けられた状態において、左右の規制部５５間に、スライダー胴体２０の引手保持体２４が配置される。
【００１９】
このため、引手３０が左右方向に移動したとしても、左右の規制部５５の一方が引手保持体２４の側面に接触するため、引手３０の左右方向の移動が規制される。また、引手３０が左右方向にぶらついた（揺動した）としても、図８（ａ）に示すように、左右の規制部５５が引手保持体２４の側面に接触するため、引手３０の左右方向のぶらつきが抑制される。なお、スライダーカバー５０が引手３０に取り付けられていない場合、図８（ｂ）に示すように、引手３０は左右方向に大きくぶらついてしまうこととなる。
【００２０】
また、図６に示すように、左右の規制部５５の対向する側面５５ａは、スライダーカバーの前後方向に沿って略平行に形成されている。また、左右の規制部５５間の間隔Ｓ２は、引手３０の第１孔部３１の左右方向の最大幅Ｓ１よりも小さく設定されている。
【００２１】
また、図４に示すように、スライダーカバー５０が引手３０に取り付けられた状態において、引手３０の下面とスライダー胴体２０の上板部２３の上面との間に、スライダーカバー５０の左右の下壁部５３が配置されている。このため、引手３０のリンク３３が引手保持体２４の上端のアーチ部分に押し付けられるので、引手３０の上下方向の移動が規制される。
【００２２】
また、図７に示すように、スライダーカバー５０が引手３０に取り付けられた状態において、左右の規制部５５の先端が、引手３０のリンク３３の先端を越えて形成されている。このため、引手３０が上下方向にぶらついた（揺動した）としても、図９に示すように、左右の規制部５５がスライダー胴体２０の上板部２３の上面に接触するため、引手３０の上下方向のぶらつきが抑制される。また、この際、スライダーカバー５０は、スライダー胴体２０の上板部２３の上面から後側（図９の紙面に対して左側）方向に力を受けるが、引手３０がその前側の左右方向幅Ｗ１が後側の左右方向幅Ｗ２よりも小さく形成され、スライダーカバー５０の収容部５４が引手３０の形状に対応して形成されているため、引手３０に対してスライダーカバー５０が後側に移動して、引手３０からスライダーカバー５０が外れてしまうことが抑制される。なお、引手３０の先端とは、引手３０の端部のうち、スライダー胴体２０に取り付けられる側の端部のことであり、より具体的には、図７の紙面に対して上側の端部のことである。
【００２３】
また、図４に示すように、スライダーカバー５０の上壁部５１の下面には、幅方向中央において前後方向（一端側から他端側に向かう方向）に延びる溝部５１ｂが形成されている。この溝部５１ｂは、図５に示すように、スライダーカバー５０を前方から引手３０に取り付ける際に、スライダー胴体２０の引手保持体２４を通過させるためのものである。
【００２４】
以上説明したように、本実施形態のスライダーカバー５０によれば、スライダーカバー５０が、引手３０を収容可能な収容部５４と、スライダーカバー５０の端部に形成され、引手３０の左右方向の移動を規制する左右一対の規制部５５と、を有し、左右の規制部５５間に引手保持体２４が配置されるため、スライダー１０の設計変更をすることなく、引手３０のぶらつきを抑制することができる。
【００２５】
なお、本実施形態のスライダーカバー５０の第１変形例として、図１０に示すように、スライダーカバー５０を引手３０の第１孔部３１までを覆うように形成してもよい。この場合、スライダーカバー５０を成形する材料を少なくすることができるので、スライダーカバー５０の製造コストを削減することができる。
【００２６】
また、本実施形態のスライダーカバー５０の第２変形例として、図１１に示すように、引手３０が逆三角形状の場合、引手３０の形状に倣って、スライダーカバー５０も逆三角形状に形成する。本変形例では、スライダーカバー５０は、引手３０に対して後方から取り付けられる。また、本変形例のスライダーカバー５０の収容部５４は、スライダーカバー５０の長手方向に沿ってストレートな筒状に形成されている。
【００２７】
また、本変形例では、スライダーカバー５０の穴部５１ａが、引手３０の第２孔部３２よりも小さい円形状に形成されている。このため、引手３０と把持部材３５のずれを防止することができる。
【００２８】
また、本実施形態のスライダーカバー５０の第３変形例として、図１２に示すように、引手３０が長方形形状の場合、引手３０の形状に倣って、スライダーカバー５０も長方形形状に形成する。本変形例では、スライダーカバー５０は、引手３０に対して前方から取り付けられる。また、本変形例では、引手３０に第２孔部３２が形成されておらず、スライダーカバー５０の上壁部５１にも穴部５１ａが形成されていない。また、本変形例では、上壁部５１の上面にロゴ５６などが設けられている。
【００２９】
なお、本考案は、上記実施形態に例示したものに限定されるものではなく、本考案の要旨を逸脱しない範囲において適宜変更可能である。
【符号の説明】
【００３０】
１０    スライドファスナー用スライダー
２０    スライダー胴体
２４    引手保持体
３０    引手
３１    第１孔部
３２    第２孔部
３３    リンク
３５    把持部材
５０    スライダーカバー
５１    上壁部
５１ａ  穴部
５１ｂ  溝部
５２    側壁部
５３    下壁部
５４    収容部
５５    規制部
５５ａ  側面
Ｓ１    第１孔部の左右方向の最大幅
Ｓ２    左右の規制部間の間隔
Ｗ１    引手の一端側の左右方向幅
Ｗ２    引手の他端側の左右方向幅
【図１】
0003196059.tif 000003
【図２】
0003196059.tif 000004
【図３】
0003196059.tif 000005
【図４】
0003196059.tif 000006
【図５】
0003196059.tif 000007
【図６】
0003196059.tif 000008
【図７】
0003196059.tif 000009
【図８】
0003196059.tif 000010
【図９】
0003196059.tif 000011
【図１０】
0003196059.tif 000012
【図１１】
0003196059.tif 000013
【図１２】
0003196059.tif 000014